(57)【要約】      （修正有）【課題】治具から電線がこぼれるのを防止し、配線に際して、電線を所定の寸法で一定にすることができ、効率的に電線を捌くことができる布線治具を提供する。【解決手段】組み立て基板に装着されるネジ部２と、中央部に挿入孔部を備えた、ネジ部と接続される底部３と、底部３の外周部に所定間隔で垂直に接続された複数のガイド部４と、挿入孔部に先端が着脱可能に取り付けられ、ガイド部４と平行に配置されて、ガイド部４と共に電線の縦・横方向への移動を制するシャフト部材５とを備えた布線治具。【選択図】図１
2011210518.tif 000002
【特許請求の範囲】
【請求項１】
組み立て基板に装着されるネジ部と、
中央部に挿入孔部を備えた、前記ネジ部と接続される底部と、
前記底部の外周部に所定間隔で垂直に接続された複数のガイド部と、
前記挿入孔部に先端が着脱可能に取り付けられ、前記ガイド部と平行に配置されて、前記ガイド部と共に電線の縦・横方向への移動を制するシャフト部材とを備えた布線治具。
【請求項２】
前記ガイド部は、内側に突き出した頭部を備え、前記シャフト部材が前記底部の挿入孔部に装着されたときに、前記頭部が前記シャフト部材と接触して、電線の縦方向への移動を制することを特徴とする、請求項１に記載の布線治具。
【請求項３】
前記ガイド部は、開閉機構を備えており、前記シャフト部材が前記挿入孔部から離脱すると、前記ガイド部は下端部を中心に回転して、閉状態から開状態へ移行することを特徴とする、請求項２に記載の布線治具。
【請求項４】
前記シャフト部材の上端部に前記ガイド部の上面に接する傘部を備えていることを特徴とする請求項１に記載の布線治具。
【発明の詳細な説明】
【技術分野】
【０００１】
この発明は、電線等の線材束を配線するための布線治具に関し、特に電線等の線材束の配線に際して、配線される電線の寸法のバラツキを防止し、治具から電線が外れ落ちるのを防止して、効率よく配線が可能な布線治具に関する。
【背景技術】
【０００２】
一般に、自動車の車体や電機機器等のパネルの所定位置に、電線等の線材束として例えばワイヤハーネスを布線することが知られている。ワイヤハーネスは、周囲の部材との関係や電子機器の位置関係等に応じて配線されるようになっているので、幹線ハーネスの任意の位置から分岐ハーネスを分岐させる必要が生じている。特開２００１−１３５１７１号公報に線材束の配線用治具が開示されている。
【０００３】
図７は、従来の配線用治具を説明する図である。図７（ａ）〜（ｃ）に示すように、配線用治具１１１は、ワイヤハーネス１１３（線材束）を配線するためのＬ字形状の３つの係止片１１１ａ〜１１１ｃと、この係止片１１１ａ〜１１１ｃと一体的に設けられた棒状部材１１２とを備え、棒状部材１１２の基端部はワイヤハーネス組立基板上に取り付けられている。突起片１１１ｂ、１１１ｃの基端部は連結部１１４によって連結されており、この連結部１１４の略中央部には分岐片１１５が取付けられている。
【０００４】
このような配線用治具１１１によってワイヤハーネス１１３を配線するには、係止片１１１ａ〜１１１ｃで幹線ハーネス（幹線線材束）１１３ａを挟持するように、係止片１１１ａ〜１１１ｃの間に幹線ハーネス１１３ａを配線しながら、係止片１１１ｂと分岐片１１５の間および係止片１１１ｃと分岐片１１５の間で幹線ハーネス１１２ａから分岐ハーネス（分岐線材束）１１３ｂ、１１３ｃを分岐することにより、ワイヤハーネス１１３が配線される。上述した従来の配線治具によって、線材束の配線作業の作業性の向上、および、幹線線材束の分岐位置から複数の分岐線材束を分岐することが期待されている。
【先行技術文献】
【特許文献】
【０００５】
【特許文献１】特開２００１−１３５１７１号公報
【発明の概要】
【発明が解決しようとする課題】
【０００６】
しかしながら、図７に示す従来の配線治具１１１によると、係止片１１１ａ〜１１１ｃによって規定された、これらの間の空間が広く、治具内で電線（線材）が水平方向および垂直方向に自由に動くことができるので、配線に際して、電線を所定の寸法で一定にすることができないという問題点がある。
【０００７】
更に、配線治具１１１の上方が開放されているので、布線作業時に電線が垂直方向に移動する、所謂電線あばれを生じ、そのあばれが治具によって吸収されず、係止片１１１ａ〜１１１ｃの何れかの上端部を超えて、配線治具外にこぼれてしまう。このように電線あばれが生じて配線治具外にこぼれると、配線治具内に再び戻す無駄な作業が生じるという問題点がある。
【０００８】
従って、この発明の目的は、治具から電線がこぼれるのを防止し、配線に際して、電線を所定の寸法で一定にすることができ、効率的に電線を捌くことができる布線治具を提供することにある。
【課題を解決するための手段】
【０００９】
発明者は従来の問題点を解決するため、鋭意研究を重ねた。この発明は上述した研究結果に基づいてなされたものである。
【００１０】
この発明の布線治具の第１の態様は、組み立て基板に装着されるネジ部と、中央部に挿入孔部を備えた、前記ネジ部と接続される底部と、前記底部の外周部に所定間隔で垂直に接続された複数のガイド部と、前記挿入孔部に先端が着脱可能に取り付けられ、前記ガイド部と平行に配置されて、前記ガイド部と共に電線の縦・横方向への移動を制するシャフト部材とを備えた布線治具である。
【００１１】
この発明の布線治具の第２の態様は、前記ガイド部は、内側に突き出した頭部を備え、前記シャフト部材が前記底部の挿入孔部に装着されたときに、前記頭部が前記シャフト部材と接触して、電線の縦方向への移動を制することを特徴とする、布線治具である。
【００１２】
この発明の布線治具の第３の態様は、前記ガイド部は、開閉機構を備えており、前記シャフト部材が前記挿入孔部から離脱すると、前記ガイド部は下端部を中心に回転して、閉状態から開状態へ移行することを特徴とする、布線治具である。
【００１３】
この発明の布線治具の第４の態様は、前記シャフト部材の上端部に前記ガイド部の上面に接する傘部を備えていることを特徴とする、布線治具である。
【発明の効果】
【００１４】
この発明の布線治具によると、中心部に垂直に固定されたシャフト部材５と平行に、ガイド部４が垂直に配置されて、ガイド部４の頭部８によって、布線治具の上方が閉塞され、シャフト部材５とガイド部によって所望の空間が形成されている。このように形成された空間内で、電線等の水平方向の移動および垂直方向の移動が制限されるので、治具から電線がこぼれるのを防止し、配線に際して、電線を所定の寸法で一定にすることができ、効率的に電線を捌くことができる。同時に外観品質の向上が図れる。
【００１５】
この発明の布線治具によると、底部の周辺部に所定間隔で設けられたガイド部は、開閉機構を備えており、中央部に脱着可能に取り付けられたシャフト部材を底部の挿入孔部から取り外すと、それぞれのガイド部は下端部を中心に回転して、閉状態から開状態へ移行することができるので、分岐されテープに巻かれたワイヤハーネスを容易に取り外すことができる。
【００１６】
この発明の布線治具によると、底部の周辺部に所定間隔で設けられたガイド部と、中央部に脱着可能に取り付けられたシャフト部材を備えているので、幹線ワイヤハーネスから所望の分岐ハーネスを容易に分岐することができる。
【図面の簡単な説明】
【００１７】
【図１】図１は、この発明の布線治具の１つの態様を説明する斜視図である。
【図２】図２は、この発明の布線治具のシャフト部材を挿入孔部から抜き取り、ガイド部を開いた状態を説明する図である。
【図３】図３は、ガイド部の開閉機構の一例を説明する図である。
【図４】図４は、この発明の布線治具の他の１つの態様を説明する摸式図である。図４（ａ）は正面図である、図４（ｂ）は、シャフト部が外された状態で、ガイド部および底部を示す平面図である。図４（ｃ）は、ガイド部の側面図である。
【図５】図５は、１つのネジ部を説明する図であり、図５（ａ）は平面図であり、図５（ｂ）は側面図ある。
【図６】図６は、この発明の布線治具に配線された電線の状態を上から見た図である。
【図７】図７は、従来の配線用治具を説明する図である。
【発明を実施するための形態】
【００１８】
この発明の布線治具の１つの態様は、組み立て基板に装着されるネジ部と、中央部に挿入孔部を備えた、ネジ部と接続される底部と、底部の外周部に所定間隔で垂直に接続された複数のガイド部と、挿入孔部に先端が着脱可能に取り付けられ、ガイド部と平行に配置されて、ガイド部と共に電線の縦・横方向への移動を制するシャフト部材とを備えた布線治具である。
【００１９】
図１は、この発明の布線治具の１つの態様を説明する斜視図である。図１に示すように、布線治具１は、（図示しない）組み立て基板にその基部が装着される垂直に配置される棒状のネジ部２と、この図では示されていないが、中央部に挿入孔部を備え、ネジ部２と強固に接続される底部３と、底部３の外周部に所定間隔で垂直に設けられた複数のガイド部４と、上述した挿入孔部に下端部の先端が着脱可能に取り付けられ、ガイド部と平行に配置されたシャフト部材５とを備えている。即ち、シャフト部材５は、相対して配置される複数のガイド部の中央部に配置される。
【００２０】
図１に示す態様においては、４本のガイド部４が底部３の外周部に設けられ、底部３の中心部に配置されるシャフト部材５に相対して配置されている。複数のガイド部４は所望の強度を備え、それぞれ一体的に形成された基部６と、本体部７と、頭部８とを備えている。本体部７は、シャフト部材５と平行に垂直に配置されて、シャフト部材５との間に所定の空間を形成し、水平方向の移動を規制する。シャフト部材５は握り部９とシャフト部１１とを備えて一体的に形成されている。
【００２１】
シャフト部材５のシャフト部１１は、電線束の布線を容易にするために、所望の強度を備えた円柱状体からなっている。隣接するガイド部４間の距離は、概ね等しく配置され、シャフト部材５とガイド部４の本体部７との間の距離は、概ね等しく配置されている。シャフト部材５および複数のガイド部４は、その間に形成される空間内で、電線が水平・垂直方向にある程度の強さ・速さで移動しても破壊されない強度が必要である。
【００２２】
ガイド部４の頭部８は、本体部７からシャフト部材５の方向に向かって突出して一体的に形成され、布線治具の上端部分を閉塞するような形状を備えている。シャフト部材５のシャフト部１１の下端部には、後述するように、ネジ部が形成されて、底部３に形成された挿入孔部に捩じ込まれて、着脱可能に装着されている。幹線ハーネス１０は、２つの隣接するガイド部間を通り、一部がシャフト部材５によって方向を変換して、幹線ハーネスと直角の方向に分岐ハーネス１２が布線される。
【００２３】
図２は、この発明の布線治具のシャフト部材を挿入孔部から抜き取り、ガイド部を開いた状態を説明する図である。図２に示すように、シャフト部材５のシャフト部１１の下端部に形成されたネジ部１３を、長軸の周りに回転して底部に形成された挿入孔部から抜き取ると、４本のガイド部４が、それぞれの基部を中心に本体部７および頭部８が外側に向かって、それぞれ円弧を描いて回動して、ガイド部の上部が開かれて、開状態に移行する。
【００２４】
布線後のワイヤハーネスは、幹線ハーネス１０および分岐ハーネス１２の外周部にテープが巻回され、更にそれらの分岐位置１４にテープが巻回されて、開状態のガイド部から布線治具外に取り外しができるようになる。
【００２５】
図３は、ガイド部の開閉機構の一例を説明する図である。図３に実線で示すように、ガイド部が閉の状態においては、シャフト部材５のシャフト部１１の下端部に形成されたネジ部１３が底部３に形成された対応するネジ受け部１５に螺合されて装着されている。
【００２６】
この状態においては、上述したように、中心部に垂直に固定されたシャフト部材５と平行に、ガイド部４が垂直に配置されて、ガイド部４の頭部８によって、布線治具の上方が閉塞され、シャフト部材５とガイド部４によって所望の空間が形成されている。このように形成された空間内で、電線等の水平方向の移動および垂直方向の移動が制限される。
【００２７】
次に、シャフト部材５が長軸の周りに回転して下端部のネジ部１３が底部３の挿入孔部から引き抜かれると、相対するガイド部４の概ねＬ字形の下端部１７の間に間隙が生じる。このように生じた間隙によって、シャフト部材５によって規制されていたガイド部４の下端部１７が移動することができ、開状態への移動が可能になる。
【００２８】
即ち、ガイド部４の基部に設けられたピン１６を支点として、垂直に位置するガイド部４の頭部８および本体部７が円弧を描いて外側に向かって移動する。その際に、ガイド部４の下端部１７が、同時に、基部に設けられたピン１６を支点として、円弧を描いて上方に小移動する。ガイド部のこのような移動によって、ガイド部４が上方が閉じた閉の状態から、上方が解放される開の状態へと変換する。
【００２９】
図４は、この発明の布線治具の他の１つの態様を説明する摸式図である。図４（ａ）は正面図である、図４（ｂ）は、シャフト部が外された状態で、ガイド部および底部を示す平面図である。図４（ｃ）は、ガイド部の側面図である。図４（ａ）に示すように、この態様の布線治具３０は、（図示しない）組み立て基板にその基部が装着されるネジ部３２と、中央部に挿入孔部３８を備え、ネジ部３２と強固に接続される底部３３と、底部３３の外周部に設けられた複数のガイド部３４と、挿入孔部３８に先端が着脱可能に取り付けられ、ガイド部３４と平行に垂直に配置されたシャフト部材３５とを備えている。この態様では、一般的に、ガイド部３４は一体的に形成され、底部３３と溶接等によって接合されている。
【００３０】
図４（ａ）に示す態様においても、２本のガイド部からなる２組のガイド部３４が、底部３３の両端部に配置されて４本のガイド部を形成し、それらの中心部に配置されるシャフト部材３５に相対して配置されている。
【００３１】
開閉機構を備える場合には、ガイド部３４はその基部３６において、回動可能に底部３３に取り付けられる。シャフト部材３５は、握り部４５（ローレット付）とシャフト部３７と、閉状態においてガイド部の上端部を覆う傘部４０を備えている。傘部は、ネジ等によって回転することによって、シャフト部３７に沿って上下に移動する構造であっても良い。
【００３２】
シャフト部３７は、電線束の布線を容易にするために、所望の強度を備えた円柱状体からなっている。隣接するガイド部３４間の距離は概ね等しく配置され、シャフト部材３７とガイド部３４の間の距離は概ね等しく配置されている。シャフト部３７とガイド部３４は、電線の水平方向および垂直方向の移動、即ち、電線あばれを吸収する強度を備えている。
【００３３】
シャフト部材３５のシャフト部３７の下端部４３には、中空部が設けられた円筒形状からなっている。ネジ部３２は、底部３３と接続される接続部３９と本体部４１とを備えている。本体部４１は中空の円筒形状からなり、内部に棒状部材４４を備えている。
【００３４】
接続部３９は底面と側面からなる円筒状部材であり、底部３３と溶接等によって強固に接合されている。接続部３９および挿入孔部３８の内周面には、シャフト部３７の下端部が簡単に外れないように例えばゴム部材が配置されていてもよい。
【００３５】
底部３３と、底部３３の中央部に接続されたネジ部３２によって、内部に棒状部材４４を備えた挿入孔部３８が形成されている。挿入孔部３８および接続部３９の内周面と、シャフト部３７の下端部４３の外周面が対応し、棒状部材４４の外周面とシャフト部３７の内周面とが対応して、シャフト部材３５が底部３３およびネジ部３２と装着されて固定される。即ち、シャフト部３７の下端部４３の中空部に棒状部材が圧入されて固定される。
【００３６】
シャフト部材３５のシャフト部３７の下端部４３を長軸の周りに回転し、または、上方に引っ張ることによって、底部３３に形成された挿入孔部３８からシャフト部材３５を抜き取ると、傘部４０によって覆われていた４本のガイド部３４の上方が開放される。
【００３７】
ガイド部は、更に、上述した態様と同様に、それぞれ基部を中心に頭部が外側に向かってそれぞれ円弧を描いて回動する機構を備えて、ガイド部が開かれる構造としても良い。
【００３８】
図４（ｂ）に示すように、中央部に挿入孔部３８が形成された底部３３が配置され、底部３３の両端部に、基部３６と垂直な本体部４７からなる概ねＵ字形のガイド部が一体的に形成されている。開閉可能な機構とする場合には、図示しないが、垂直な本体部４７と基部３６を別部材で形成し、それらの間に関節部を設けて、ピン等によって所定の摺動抵抗を備えた回動可能な構造としてもよい。図４（ｃ）に示すように、ガイド部３４は、垂直な本体部４７と基部３６とが一体的に形成されている。ガイド部３４の基部３６には、底部３３が溶接等によって接合されている。
【００３９】
図５は、ネジ部を説明する図であり、図５（ａ）は平面図であり、図５（ｂ）は側面図ある。この態様のネジ部は、例えば、図４に示した底部に接続されるネジ部である。ネジ部２は、接続部１８と本体部１９からなっている。ネジ部２は、接続部１８を介して底部３に装着されている。接続部１８は、その中央部にシャフト部材５の下端部に形成されたネジ部１３に対応する挿入孔部２０を備えている。ネジ部は、例えば、強度を高めるために、６角穴付きボルトを改造して作製することができる。
【００４０】
図６は、この発明の布線治具に配線された電線の状態を上から見た図である。この発明の布線治具は、図１から図５を参照して説明したように、例えば４本のガイド部４の中心部にシャフト部材５が設けられているので、シャフト部材とガイド部の間に、水平方向の移動が規制される空間が形成され、ガイド部の上端部はガイド部の頭部または別に設けられた傘部によって垂直方向の移動が規制される空間が形成される。
【００４１】
このように形成された空間に矢印で示す方向に配線することができる。矢印の何れの方向でも電線をシャフト部材に引っ掛けることができ、ハーネスを一定の空間内に集約することができるので、寸法のバラツキを抑制することができる。
【００４２】
この発明によると、治具から電線がこぼれるのを防止し、配線に際して、電線を所定の寸法で一定にすることができ、効率的に電線を捌くことができる布線治具を提供することができる。
【符号の説明】
【００４３】
１  布線治具
２  ネジ部
３  底部
４  ガイド部
５  シャフト部材
６  基部
７  本体部
８  頭部
９  握り部
１０  幹線ハーネス
１１  シャフト部
１２  分岐ハーネス
１３  ネジ部
１４  分岐位置
１５  ネジ受け部
１６  ピン
１７  下端部
１８  接続部
１９  本体部
２０  挿入孔部
３９  接続部
４０  傘部
４４  棒状部材
４５  握り部
【図１】
2011210518.tif 000003
【図２】
2011210518.tif 000004
【図３】
2011210518.tif 000005
【図４】
2011210518.tif 000006
【図５】
2011210518.tif 000007
【図６】
2011210518.tif 000008
【図７】
2011210518.tif 000009